(57)【要約】【課題】  取手を小水受け部にがたつきなく取付けることができ、長期間の使用においても取手と小水受け部との間に隙間を生じることなく、かつ小水受け部の清浄性が良好な使い勝手の良い幼児用補助便座を提供する。【解決手段】  大人用便座に載置され便座部に着座した幼児が掴むための掴み部を有する取手の固定部が小水受け部を覆うように着脱可能に取付けられる幼児用補助便座１において、便座部であって幼児が着座した状態で見て小水受け部１２０の前方に位置し、取手２００の固定部２２０を当該小水受け部１２０に係止する第１の係止手段１３０，２３０と、取手２００の固定部２２０の小水受け部側開口部が小水受け部１２０の開口部と対応して形成され、これらの対応する開口部の基端側に固定部２２０の基端を係止して便座部からの浮き上がりを抑える第２の係止手段１２３，２４２ａとを設けている。【選択図】  図２
2005334195.tif 000002
【特許請求の範囲】
【請求項１】
大人用便座に載置され便座部に着座した幼児が掴むための掴み部を有する取手の固定部が小水受け部を覆うように着脱可能に取付けられる幼児用補助便座において、
幼児が着座した状態で見て前記便座部における小水受け部の前方に位置し、前記取手の固定部を当該小水受け部に係止する第１の係止手段と、
前記取手の固定部の小水受け部側開口部が前記小水受け部の開口部と対応して形成され、これらの対応する開口部の基端側に前記固定部の基端を係止して便座部からの浮き上がりを抑える第２の係止手段を設けたことを特徴とする幼児用補助便座。
【請求項２】
前記第２の係止手段は、前記取手の固定部の開口部と前記小水受け部の開口部の何れか一方に係合突部が形成され、何れか他方に前記係合突部と係合する係合凹み部が形成されていることを特徴とする、請求項１に記載の幼児用補助便座。
【請求項３】
前記第２の係止手段が前記便座部の幼児着座面と取手が当接する面の近傍に設けられていることを特徴とする、請求項１又は請求項２に記載の幼児用補助便座。
【請求項４】
前記係合突部は突起とされ、前記係合凹み部は前記突起が係合する孔とされ、前記小水受け部に前記取手を取付けたときに前記突起の下面と前記孔の下面とが当接するとともに、前記突起の上面と前記孔の上面との間に所定の隙間が形成されることを特徴とする、請求項２に記載の幼児用補助便座。
【請求項５】
前記便座部の幼児着座面において小水受け部開口部基端近傍に凹み部が備わり、
前記取手の固定部の小水受け部側開口部に前記凹み部に係止する凸起部が備わり、当該凸起部の後端面が前記取手の小水受け部側開口部と面一に形成されていることを特徴とする、請求項１乃至請求項４の何れかに記載の幼児用補助便座。
【発明の詳細な説明】
【技術分野】
【０００１】
本発明は、大人用便座に取付けて幼児が使用する幼児用補助便座に関する。
【背景技術】
【０００２】
大人用便座に取付けて幼児が使用する幼児用補助便座は従来から知られている（例えば、特許文献１及び特許文献２参照）。かかる特許文献１に記載の幼児用補助便座は、幼児の成長に合わせた使用態様で使われるようになっており、具体的には取手が幼児用補助便座の小水受け部に対してボルト等の締結具によって着脱可能に設けられている。
【０００３】
また、特許文献２に記載の幼児用補助便座も特許文献１に記載の幼児用補助便座と同様に、補助便座本体に対して着脱可能な取手が備わるが、この取手は特許文献１に記載の幼児用補助便座と異なり、小水受け部と隣接した便座の前方部分に取付けられるようになっている。
【０００４】
【特許文献１】実開平６−６６４９５（５頁、図１）
【特許文献２】実公平７−３７５８５（２頁、図２）
【発明の開示】
【発明が解決しようとする課題】
【０００５】
特許文献１に記載の幼児用補助便座は、取手を便座本体の小水受け部に着脱自在に取付けるための締結構造を有している。そして、この締結構造は、小水受け部の上部前側に設けられている。このように、取手がボルトとナットからなる締結構造によって小水受け部の上部前側の一箇所で取付けられていると、幼児が便器に座って取手を握りながら前方に押したときにこの締結構造の部分を中心として取手が前方に僅かに倒れ、取手の取付け部下端縁と便座本体の着座部との間にすき間が生じてしまい好ましくない。
【０００６】
一方、取手の締結部分を小水受け部上側中央か後方部分に位置させて取手の前方への倒れを防止する構造も考えられる。しかしながら、このような構造をとるとすると、小水受け部の小水受け面面積をある程度確保する必要上、小水受け部の内壁部にこの締結構造の一部を形成せざるを得なくなり、小水受け部の小水受け面に締結構造のための凹凸や隙間が形成されて滑らかな小水受け面が形成されなくなり、小水受け部の清浄性が低下する。
【０００７】
また、特許文献２に記載の幼児用補助便座では、小水受け部の前方に隣接した位置に小水受け部と独立して取手を着脱自在に設けているが、小水受け部と完全に干渉しない位置に取手を設けているため、小水受け面面積が小さくなって小水のはね返りなどが生じ、好ましくない。一方、このような構造のまま、小水受け面面積を十分取るために小水受け部を大きくすると、幼児が便座に着座した状態で幼児と取手との間の距離が長くなる。これによって、幼児が便座に着座すると幼児が取手を若干前方に押し出すような姿勢となってしまい、取手が前方に僅かに倒れたり、取手取付け部に緩みが生じるおそれがある。このような取手の倒れや取手取付け部の緩みを防止するために取手の締結部分を小水受けの一部に付加的に設けようとすると、上述と同様に小水受け部の小水受け面に取手取付けのための凹凸や隙間が形成されてしまい、小水受け部の清浄性が低下する。
【０００８】
本発明の目的は、取手を小水受け部にがたつきなく取付けることができ、長期間の使用においても取手と小水受け部との間に隙間を生じることなく、かつ小水受け部の清浄性が良好な使い勝手の良い幼児用補助便座を提供することにある。
【課題を解決するための手段】
【０００９】
上述した課題を解決するために、本発明にかかる幼児用補助便座は、
大人用便座に載置され便座部に着座した幼児が掴むための掴み部を有する取手の固定部が小水受け部を覆うように着脱可能に取付けられる幼児用補助便座において、
幼児が着座した状態で見て前記便座部における前記小水受け部の前方に位置し、前記取手の固定部を当該小水受け部に係止する第１の係止手段と、
前記取手の固定部の小水受け部側開口部が前記小水受け部の開口部と対応して形成され、これらの対応する開口部の基端側に前記固定部の基端を係止して便座部からの浮き上がりを抑える第２の係止手段を設けたことを特徴とする。
【００１０】
第１の係止手段が便座の小水受け前方部分に設けられるとともに、第２の係止手段が小水受けの開口部基端側に設けられているので、取手を係止するための特別な凹凸形状を小水受け面に形成する必要がなく、小水受けを清掃し易くなる。また、取手の便座本体からの浮き上がりを防止でき、取手と小水受けとの間に余分な隙間ができることもなく、幼児が着座しても太腿などを挟むこともない。
【００１１】
また、本発明の請求項２に記載の幼児用補助便座は、請求項１に記載の幼児用補助便座において、
前記第２の係止手段は、前記取手の固定部の開口部と前記小水受け部の開口部の何れか一方に係合突部が形成され、何れか他方に前記係合突部と係合する係合凹み部が形成されていることを特徴とする。
【００１２】
第２の係止手段を係合突部と係合凹み部で構成することで、この部分をしっかりと係止させることができるとともに着脱も容易に行えるようにする。また、固定するための別部材が不要なので、部品間の隙間や凹凸が少なくて済み、清掃し易い。
【００１３】
また、本発明の請求項３に記載の幼児用補助便座は、請求項１又は請求項２に記載の幼児用補助便座において、
前記第２の係止手段が前記便座部の幼児着座面と取手が当接する面の近傍に設けられていることを特徴とする。
【００１４】
かかる第２の係止手段が小水受けの開口部天面側にあると、取手を便器前方に倒した時にアーチ形状をなす小水受け開口部が変形し易いが、第２の係止手段を便座部の幼児着座面と取手部が当接する面の近傍に設けることで、取手を便器前方に倒した時に小水受け開口部を変形させにくくすることができる。
【００１５】
また、本発明の請求項４に記載の幼児用補助便座は、請求項２に記載の幼児用補助便座において、
前記係合突部は突起とされ、前記係合凹み部は前記突起が係合する孔とされ、前記小水受け部に前記取手を取付けたときに前記突起の下面と前記孔の下面とが当接するとともに、前記突起の上面と前記孔の上面との間に所定の隙間が形成されることを特徴とする。
【００１６】
突起と孔の大きさが同じであると、突起に孔を係合し易くするために取手と小水受けの寸法公差が厳密に要求されるとともに、取手を小水受けに取付ける際にも突起に孔を正確に位置合わせしながら取付ける必要がある。しかしながら、取手取付け状態で突起の上面と孔の上面との間に所定の隙間が形成されることで突起を孔に係合させ易くすることができ、取手を小水受けに容易に取付けることができるようになる。また、取手取付け状態で突起の下面と孔の下面とが当接することで、取手を小水受けに取付けた後に取手が小水受けから浮き上がるのを防止できる。
【００１７】
また、本発明の請求項５に記載の幼児用補助便座は、請求項１乃至請求項４の何れかに記載の幼児用補助便座において、
前記便座部の幼児着座面において小水受け部開口部基端近傍に凹み部が備わり、
前記取手の固定部の小水受け部側開口部に前記凹み部に係止する凸起部が備わり、当該凸起部の後端面が前記取手の小水受け部側開口部と面一に形成されていることを特徴とする。
【００１８】
取手の凸起部の後端面を取手の小水受け開口部側縁部と面一とすることで、取手の抜け止め防止機能に加えて、取手の小水受け開口縁部基端が仮に何らかの原因によって便座部から浮き上がっても、取手の小水受け開口縁部基端と便座部との間に隙間が生じることなく、幼児の大腿部が取手と便座部との間に挟まれることもない。
【発明の効果】
【００１９】
本発明によると、取手を小水受けにがたつきなく取付けることができるとともに、長期間の使用によっても取手と小水受け部との間に隙間を生じ得ることがなく、かつ小水受け部の清浄性が良好な使い勝手の良い幼児用補助便座を提供することができる。
【発明を実施するための最良の形態】
【００２０】
以下、本発明の一実施形態にかかる幼児用補助便座について説明する。本発明の一実施形態にかかる幼児用補助便座１は、製造時に成型しやすくかつ使用に際して十分な強度を有する例えばポリプロビレンなどの樹脂材でできており、図１及び図２に示すように、一部に小水受け部１２０（図２参照）を備えた便座本体１００と、便座本体１００の小水受け部１２０に被せて着脱自在に取付けられる取手２００と、取手２００の便座本体１００への取付けに際して使用するとともに取手２００を便座本体１００から取り去った際に便座本体１００の取手取付け用の係合凹部１３０（図３参照）を覆うキャップ３００とを備えている。
【００２１】
便座本体１００は、図３に示すように、上面視で楕円のリング状をなした座部１１０と、座部１１０の前方部分において上方に膨出して形成された小水受け部１２０と、リング状の座部１１０の内周縁に沿って全周にわたって下方に突出した壁部１５０（図５及び図６参照）と、壁部１５０の外壁面であって便座本体の長手方向中央部にそれぞれ設けられた大人用便座への取付け調整固定具５００（図５及び図６参照）とを備えている。
【００２２】
小水受け部１２０は、便座本体１００の先端に向かって先細りになる卵形の一部をなすような外観形状を備え、図７に示すように、小水受け部１２０の前方部分１２１は中実構造なし、一部に取手２００と係合する係合凹部１３０と当該係合凹部１３０と連続して形成されたキャップ３００の支持軸挿通用の軸孔１４０が穿設されている。また、小水受け部１２０の後方部分１２２は、図５に示すように、内側面が滑らかな小水受け面１２２ａをなした中空構造を有し、いわゆる小水受けとしての役目を果たしている。
【００２３】
また、小水受け部１２０の傾斜面１２０ａの前方部分に上述した上面視で三角形状の深さの深い取手取付け用の係合凹部１３０が形成されている。また、取手２００を取付ける係合凹部１３０の底部中央部分にはキャップ３００を小水受け部１２０に直接取付ける場合にキャップ３００の支持軸３３０を嵌合させるとともに、キャップ３００を用いて取手２００を便器本体１００に取付ける場合に、キャップ３００の支持軸３３０と連結した取手２００の係合凸部２３０のボス２３０ａ（図８及び図９参照）を嵌合させるための軸孔１４０が形成されている。また、軸孔１４０にはこれと連続してキャップ締結用のボルト挿通孔１４５（図７参照）が形成されている。
【００２４】
また、傾斜面１２０ａの上方部分には、図４に示すように、キャップ３００の位置決め突部３４０ａ（図１０参照）と係合してキャップ３００の位置合わせを行う位置決め凹部１２０ｂが形成されている。
【００２５】
小水受け部１２０の上面は、図７に示すように、一定の傾斜面である合わせ面１２５を形成しており、合わせ面１２５は後述する取手２００の下面に形成された下側合わせ面２２５（図８参照）やキャップ３００の周壁３２０の下縁に沿った合わせ面３２５（図１０参照）と角度的に合致するようになっている。なお、小水受け部１２０の合わせ面１２５は、キャップ３００の周壁３２０を当接させた状態でキャップ３００の上面部３１０が幼児用補助便座使用状態で水平をなすような傾斜角度に形成されている。
【００２６】
一方、便座本体１００の小水受け部開口部基端側近傍には取手２００の小水受け部開口縁部基端側に形成された凸起部２４１（図８参照）が係合するための凹み部１１５（図４参照）が形成されている。また、便座本体１００の小水受け部開口縁部には、その基端側近傍に取手２００と係合する縁凸部（突起）１２３（図４及び図５参照）が形成されている。
【００２７】
また、便座本体下側の前方部分には、図６に示すように、幼児用補助便座を取り外した際にこれを例えばトイレの壁のフックなどに引掛けて保管しておくための引掛け部１１９が備わっている。引掛け部１１９は、一端を支点として便座本体下面に引っ込むようになっており、幼児用補助便座１を壁に引掛ける際には引掛け１１９を回転して便座本体１００の外側に取り出すことができるようになっている。
【００２８】
一方、取手２００は、図８及び図９に示すように、小水受け部１２０の外形に対応した形状を備えた固定部２２０と、固定部２２０から上方に延在し逆Ｕ字形状を有した掴み部２１０を備えている。また、固定部２２０の下面は小水受け部１２０の上面傾斜部である合わせ面１２５と角度的に合致する傾斜を備えた下側合わせ面２２５として形成されており、かつ下側合わせ面２２５から下方に向かって三角柱状の係合凸部２３０が突出形成されている。なお、係合凸部２３０は角部が丸みを帯びるとともに中心部にキャップ取付け用のボルト３５０（図１１及び図１２参照）を挿通するためのボルト挿通孔２３１が形成されている。そして、ボルト挿通孔２３１の下側開口部にはボス２３０ａが突出形成されている。また、ボルト挿通孔２３１の上側部分は拡径しており、キャップ３００の支持軸３３０を嵌合させるための軸孔２３２となっている。また、ボルト挿通孔２３１の両側には肉抜きのための空間２３３（図９参照）が形成されている。そして、係合凸部２３０は取手２００を小水受け部１２０に被せると、小水受け部１２０に形成された係合凹部１３０に係合するようになっている。
【００２９】
また、小水受け部１２０の上面傾斜部である合わせ面１２５と対応する固定部２２０の上面にも取手２００の下面と同様の傾斜角度を有する上側合わせ面２３５（図８参照）が形成されている。これによって、キャップ３００を介して取手２００を小水受け部１２０に取付けると、キャップ３００の周壁３２０の下縁が上側合わせ面２３５に合致するとともに、キャップ３００の上面部３１０が幼児用補助便座使用状態で水平をなすようになっている。また、固定部２２０の上面にはキャップ位置決め用の位置決め凹部２２０ａが形成されている。
【００３０】
一方、固定部２２０の小水受け開口部に対応する縁部２４０には、図９に示すように便座本体１００と当接する基端部に凸起部２４１が形成されている。なお、この双方が面一となるように形成されているため、取手２００が便座本体１００から仮に若干浮き上がってもこの凹凸部間で隙間を生じさせないようにできる。
【００３１】
また、縁部２４０の基端部近傍には、小水受け部１２０の開口部の縁凸部１２３（図５参照）と係合して取手２００の前方向への倒れを防止する係合孔２４２ａを備えた耳部２４２が形成されている。なお、係合孔２４２ａと縁凸部１２３は、取手２００を便座本体１００に取付けたとき、係合孔２４２ａの孔下面と縁凸部１２３の周面下側が当接するとともに、係合孔２４２ａの孔上面と縁凸部１２３の周面上側の間に一定の隙間が生じるような取付け関係になっている。
【００３２】
また、縁部２４０の上部幅方向中央位置には小水受け部１２０の開口縁部と係合して取手２００の前方向への倒れを防止する舌片２４３が形成されている。また、掴み部２１０の上部内側面には取手２００を幼児が握りやすくかつ滑ることがないように浅い凹み部２１０ａが幼児の指の間隔に合わせて所定の数だけ形成されている。
【００３３】
一方、キャップ３００は、図１０に示すように取付け状態で水平面をなす上面視略円形の上面部３１０と、上面部３１０の周囲縁に沿って下方に延在するとともに、その下端縁が小水受け部１２０の傾斜面である合わせ面１２５及び取手２００の固定部上面に形成された上側合わせ面２３５と合致した傾斜角度を有する周壁３２０を備えている。そして、周壁３２０の下縁部がキャップ３００の合わせ面３２５を形成している。また、キャップ３００の上面部３１０の内側には上面部３１０と垂直方向にかつ合わせ面３２５と一定の角度をなすようにキャップ取付け用の支持軸３３０が突出形成されている。そして、支持軸３３０の内周面には図示しないボルト締結用の雌ネジが形成されている。また、支持軸周囲対向位置からはキャップ３００の上面部３１０と一体をなしかつ側面視で三角形形状を有する補強用のリブ３４０が延在形成されている。なお、リブ３４０の傾斜角度は、キャップ３００の合わせ面３２５と合致する角度をなしている。また、リブ３４０の一部にはキャップ取付け用の位置決め突部３４０ａが形成されて、位置決め突部３４０ａが取手２００の固定部２２０の位置決め凹部２２０ａ（図８参照）又は小水受け部１２０の位置決め凹部１２０ｂ（図４参照）に係合してキャップ取付け時の位置合わせを行いやすくしている。
【００３４】
そして、キャップ３００の支持軸３３０は、キャップ３００を小水受け部１２０に直接取付ける際に、小水受け部１２０の上面視三角形状の係合凹部底部に形成された軸孔１４０（図７参照）に嵌合するようになっている。また、小水受け部１２０に取手２００を取付ける場合、キャップ３００の支持軸３３０は取手２００の軸孔２３２（図８参照）に嵌合するようになっている。
【００３５】
一方、キャップ３００の上面部３１０には、本実施形態では図示しないが例えば愛嬌のあるトラの子供など幼児が親しみやすいキャラクタが直接描かれているか、このキャラクタが描かれたシールが貼り付けてある。なお、キャラクタはキャップ３００を取付けると、幼児が便座に着座した状態において例えば愛嬌のあるトラの子供が幼児とちょうど向き合って幼児に笑いかけるような向きに描かれている。
【００３６】
このように構成された幼児用補助便座１は、以下のようにして使用される。幼児がまだ小さく幼児用補助便座使用時に掴み部２１０を握る必要がある場合は、図１、図２、及び図１１に示すように、取手２００を便座本体１００に被せてキャップ３００とボルト３５０と座金３５１とスプリングワッシャ３５２を介して取手２００を便座本体１００にしっかりと固定する。
【００３７】
取手２００を取付ける際は、図８及び図９に示す取手２００の小水受け開口部に対応する縁部基端の凸起部２４１を図３及び図４に示す便座本体１００の凹み部１１５に係合させ、取手２００を便座本体１００の前方に押すことでこの凹凸部を中心として取手２００を回転させ、取手２００の下側合わせ面２２５と小水受け部１２０の合わせ面１２５を合致させるとともに取手２００の係合凸部２３０を小水受け部１２０の係合凹部１３０に係合させる。これと同時に、取手２００の耳部２４２に形成された係合孔２４２ａが小水受け開口縁部の縁凸部１２３（図５参照）に係合し、取手２００の舌片２４３が小水受け部１２０の開口縁部と係合する。この時、取手２００の係合凸部２３０は三角柱状で係合凹部１３０も三角形なので取手２００が小水受け部１２０に対して周方向にがたつくことなく固定される。
【００３８】
なお、上述した通り、取手取付け状態で係合孔２４２ａの孔上面と縁凸部１２３の周面上側の間には一定の隙間が形成されているので、係合孔２４２ａを縁凸部１２３に係合させる際に係合させ易い。
【００３９】
続いて、取手２００の軸孔２３２にキャップ３００の支持軸３３０（図１０参照）を嵌合させる。この場合、キャップ３００の支持軸３３０はキャップ３００の合わせ面３２５に対して一定の角度をなしているので、キャップ３００の支持軸３３０を取手２００の軸孔２３２に嵌合するだけでキャップ３００の合わせ面３２５と取手２００の上側合わせ面２３５とが合致し、幼児用補助便座取付け状態でキャップ３００の上面部３１０が水平になるとともに、キャップ３００の上面部３１０に描かれたキャラクタが幼児補助便座１に着座する幼児の方向を向くようになる。
【００４０】
この状態でボルト３５０を便座本体１００の下側からキャップ３００の支持軸３３０に螺合させることで、図１１に示すように取手２００を便座本体１００にしっかりと取付けることができる。
【００４１】
なお、取手取付け状態で係合孔２４２ａの孔下面と縁凸部１２３の周面下側とは当接しているので、幼児が取手２００を前方に押してもこの部分で取手２００の前方への倒れが阻止され、取手２００と便座本体１００の間に隙間が生じることはない。
【００４２】
また、取手２００の凸起部２４１の後端面を取手２００の小水受け開口部側縁部と面一とすることで、仮に何らかの原因によって取手２００の小水受け開口縁部基端が便座本体１００から浮き上がっても、取手２００の小水受け開口縁部基端と便座本体１００との間に隙間が生じることなく、幼児の大腿部が取手２００と便座本体１００との間に挟まれることもない。
【００４３】
このように取手２００を便座本体１００に取付けることで、取手２００の係合凸部２３０と便座本体１００の係合凹部１３０が係合するとともに取手２００の小水受け側開口縁部で係合する。すなわち、取手２００は、便座本体１００に対して小水受け部１２０の前方部分と後方の小水受け部開口縁との長手方向２箇所で係合されることになる。これによって、幼児が便座に座りながら取手２００を前後に揺すっても、取手２００の締結部が緩みにくく取手２００のがたつきを防止する。また、このような取手２００の便座本体１００への係合部分が小水受け部１２０の小水受け面１２２ａを避けて形成されているため、小水受け面１２２ａには取手取付けのための特別な取付け構造を形成させずに済む。そのため、小水受け部１２０の小水受け面１２２ａに余分な凹凸や隙間を形成させることなく小水受け面１２２ａを滑らかに形成することができる。これによって、小水受け部１２０を清浄する際、清浄し易くなる。
【００４４】
一方、幼児がある程度成長して取手２００が不要になったときは、取手２００を取り外す。取手２００の取り外しに際しては、ボルト３５０を緩めてキャップ３００を取手２００から取り外す。次いで、取手２００を便座本体１００の後ろ側に押して、取手２００の係合凸部２３０と小水受け部１２０の係合凹部１３０との係合を解除する。これによって、取手２００が便座本体１００の後方に倒れ、小水受け開口縁部と取手２００との係合を解除し、便座本体１００から容易に取り外すことができる。
【００４５】
次いで、キャップ３００を小水受け部１２０に取付ける。この取付けに際しては、キャップ３００の支持軸３３０を図４に示す小水受け部１２０の軸孔１４０に挿入するだけで、図１２及び図１３に示すように、キャップ３００の合わせ面３２５と小水受け部の合わせ面１２５とが合致し、幼児用補助便座１の使用状態においてキャップ３００の上面部３１０を水平にすることができるとともに、キャップ３００の上面部３１０に描かれたキャラクタを幼児用補助便座１に着座する幼児の方向に向けることができる。次いで、この状態でボルト３５０と座金３５１とスプリングワッシャ３５２を便座本体１００の下方からキャップ３００の支持軸３３０に螺合してキャップ３００を小水受け部１２０にしっかりと取付ける。
【００４６】
以上説明したように、本実施形態にかかる幼児用補助便座１は、第１の係止手段としての係合凹部１３０と係合凸部２３０が小水受け部１２０の前方部分に設けられるとともに、第２の係止手段としての縁凸部１２３と係合孔２４２ａとが小水受け部１２０の開口部基端側に設けられているので、取手２００を係止するための特別な凹凸形状や隙間を小水受け面１２２ａに形成させずに済み、小水受け面１２２ａを清掃し易くなる。また、取手２００の便座本体１００からの浮き上がりを防止でき、取手２００と小水受け部１２０との間に余分な隙間ができることもなく、幼児が着座しても太腿などを挟むこともない。
【００４７】
また、第２の係止手段を縁凸部１２３と係合孔２４２ａとから構成することで、この部分をしっかりと係止させることができるとともに、着脱も容易に行うことができる。また、固定するための別部材が不要なので、部品間の隙間が少なくて済み、清掃し易い。
【００４８】
また、取手取付け状態で縁凸部１２３の上面と係合孔２４２ａの上面との間に所定の隙間が形成されることで取手２００を取付け易くするとともに、取手取付け状態で縁凸部１２３の下面と係合孔２４２ａの下面とが当接することで、取手２００の浮き上がりを防止できる。
【００４９】
また、縁凸部１２３と係合孔２４２ａが便座本体１００と取手２００が当接する面の近傍に設けられているので、取手２００を便座本体１００の前方に倒した時にアーチ形状をなす小水受け開口部を変形させにくくする。
【００５０】
また、取手２００の凸起部２４１の後端面を取手２００の小水受け開口部側縁部と面一とすることで、取手２００の抜け止め防止機能に加えて、取手２００の小水受け開口縁部基端が仮に何らかの原因によって便座本体１００から浮き上がっても、取手２００の小水受け開口縁部基端と便座本体１００との間に隙間が生じることなく、幼児の大腿部が取手２００と便座本体１００との間に挟まれることもない。
【図面の簡単な説明】
【００５１】
【図１】本発明の一実施形態にかかる幼児用補助便座を斜め前方上側から示した斜視図である。
【図２】図１の幼児用補助便座を斜め後方上側から示した斜視図である。
【図３】図１の幼児用補助便座の便座本体を図１と同様の方向から示した斜視図である。
【図４】図３の小水受け部を拡大して示した斜視図である。
【図５】図３の便座本体を斜め後方上側から示した斜視図である。
【図６】図３に示した便座本体の底面図である。
【図７】小水受け部の長手方向に沿った断面図である。
【図８】取手の長手方向に沿った断面図である。
【図９】取手を斜め下方から示した斜視図である。
【図１０】キャップを斜め下方から示した斜視図である。
【図１１】取手を小水受け部に取付け、キャップを取付けた状態の長手方向に沿った断面図である。
【図１２】小水受け部にキャップを直接取付けた状態を長手方向に沿った断面図である。
【図１３】図１の幼児用補助便座を、取手を取り去ってキャップを取付けた状態で示した図１に対応する斜視図である。
【符号の説明】
【００５２】
１    幼児用補助便座
１００    便座本体
１１０    座部
１１５    凹み部
１１９    引掛け部
１２０    小水受け部
１２０ａ    傾斜面
１２０ｂ    位置決め凹部
１２１    前方部分
１２２    後方部分
１２２ａ    小水受け面
１２３    縁凸部
１２５    合わせ面
１３０    係合凹部
１４０    軸孔
１４５    ボルト挿通孔
１５０    壁部
２００    取手
２１０    掴み部
２１０ａ    凹み部
２２０    固定部
２２０ａ    位置決め凹部
２２５    下側合わせ面
２３０    係合凸部
２３０ａ  ボス
２３１    ボルト挿通孔
２３２    軸孔
２３３    空間
２３５    上側合わせ面
２４０    縁部
２４１    凸起部
２４２    耳部
２４２ａ    係合孔
２４３    舌片
３００    キャップ
３１０    上面部
３２０    周壁
３２５    合わせ面
３３０    支持軸
３４０    リブ
３４０ａ    位置決め突部
３５０    ボルト
３５１    座金
３５２    スプリングワッシャ
５００    取付け調整固定具
【図１】
2005334195.tif 000003
【図２】
2005334195.tif 000004
【図３】
2005334195.tif 000005
【図４】
2005334195.tif 000006
【図５】
2005334195.tif 000007
【図６】
2005334195.tif 000008
【図７】
2005334195.tif 000009
【図８】
2005334195.tif 000010
【図９】
2005334195.tif 000011
【図１０】
2005334195.tif 000012
【図１１】
2005334195.tif 000013
【図１２】
2005334195.tif 000014
【図１３】
2005334195.tif 000015